【手続補正書】
【提出日】平成29年2月6日(2017.2.6)
【手続補正１】
【補正対象書類名】特許請求の範囲
【補正対象項目名】全文
【補正方法】変更
【補正の内容】
【特許請求の範囲】
【請求項１】
内燃機関（１２）の回転軸に連結されるロータコア（２２）の内面に、界磁を提供する永久磁石（２３）が配置されるロータ（２１）と、
前記内燃機関（１２）のボディ（１３）に固定されることによって前記ロータの内側に配置され、前記永久磁石と対向する複数の磁極（３２ａ）を径方向外側に形成するステータコア（３２）と、
前記ステータコアに装着されるステータコイルであって、第１の多相巻線（３３ｐ）、前記第１の多相巻線と同相の第２の多相巻線（３３ｓ）、およびそれぞれの多相巻線を外部の電気回路に接続するための複数の引出線（４６、７１、５７１）を有し、前記第１の多相巻線は、互いに並列接続された複数のコイルを有するステータコイル（３３、４３３）とを備えることを特徴とする内燃機関用回転電機。
【請求項２】
前記引出線を介して前記ステータコイルに接続され、発電機運転または電動機運転に切換可能な電気回路であって、前記第１の多相巻線のみを利用するモード、前記第２の多相巻線のみを利用するモード、または前記第１の多相巻線および前記第２の多相巻線の両方を利用するモードのうちの少なくとも２つのモードを前記電動機運転において切換可能な電気回路（１１）を備えることを特徴とする請求項１に記載の内燃機関用回転電機。
【請求項３】
前記電気回路が切換可能な前記２つのモードは、第１の回転速度域に適した第１のモードと、前記第１の回転速度域より高い第２の回転速度域に適した第２のモードとを含むことを特徴とする請求項２に記載の内燃機関用回転電機。
【請求項４】
前記第１のモードにおいて利用される多相巻線のターン数は、前記第２のモードにおいて利用される多相巻線のターン数より多いことを特徴とする請求項３に記載の内燃機関用回転電機。
【請求項５】
前記第１のモードは、前記第１の多相巻線および前記第２の多相巻線の両方を利用するモードであり、
前記第２のモードは、前記第１の多相巻線のみを利用するモード、または前記第２の多相巻線のみを利用するモードであることを特徴とする請求項４に記載の内燃機関用回転電機。
【請求項６】
前記第１の多相巻線（３３ｐ）は第１のターン数を有し、
前記第２の多相巻線（３３ｓ）は、前記第１のターン数より多い第２のターン数を有し、
前記第２のモードは、前記第１の多相巻線のみを利用するモードであることを特徴とする請求項３から請求項５のいずれかに記載の内燃機関用回転電機。
【請求項７】
前記第１の多相巻線（３３ｐ）および前記第２の多相巻線（３３ｓ）の一方は、中性点（３３ｎ）において星形結線されており、
前記電気回路は、前記第１の多相巻線（３３ｐ）および前記第２の多相巻線（３３ｓ）の他方を星形結線する中性点回路（ＰＮ）を有することを特徴とする請求項１から請求項６のいずれかに記載の内燃機関用回転電機。
【請求項８】
複数の前記引出線の少なくとも一部は、前記ステータコアの軸方向の端面に沿って周方向に延在するように配置されたバスバー（７１、５７１）を含むことを特徴とする請求項１から請求項７のいずれかに記載の内燃機関用回転電機。
【請求項９】
内燃機関（１２）の回転軸に連結されるロータコア（２２）の内面に、界磁を提供する永久磁石（２３）が配置されるロータ（２１）と、
前記内燃機関（１２）のボディ（１３）に固定されることによって前記ロータの内側に配置され、前記永久磁石と対向する複数の磁極（３２ａ）を径方向外側に形成するステータコア（３２）と、
前記ステータコアに装着されるステータコイルであって、複数の前記磁極に装着された複数のコイル（Ｃ１−Ｃ１８）、および前記ステータコアの軸方向端面に沿って周方向に延在するように配置され、複数の前記コイルの間を少なくとも部分的に接続する複数のバスバー（７１、５７１）を有するステータコイル（３３、４３３）と、
複数の前記バスバーを収容する収容容器（８２、９５）を備え、
前記収容容器は、複数の前記磁極の間に挿し込まれる噛合部（８５）、前記ステータコアに固定される固定部（８６、Ａ３）、および前記ボディに固定される固定部（９４）の少なくともひとつを備えることを特徴とする内燃機関用回転電機。
【請求項１０】
前記収容容器は樹脂製であり、前記ステータコアに固定される前記固定部（Ａ３）は、樹脂の弾性を利用して係合状態が維持されるスナップフィット機構によって前記ステータコアに固定されていることを特徴とする請求項９に記載の内燃機関用回転電機。
【請求項１１】
前記噛合部は、前記ステータコアの径方向に関して、前記磁極の径方向内側に位置づけられる内側部（８５ａ）と、前記磁極の径方向外側に位置づけられる外側部（８５ｂ）とを有することを特徴とする請求項９に記載の内燃機関用回転電機。
【請求項１２】
前記収容容器は、電気的な接続を提供するためのコネクタ部（８３）を有し、
複数の前記バスバーの少なくともひとつは、前記コネクタ部の中に配置されたコネクタ端子部（５７７）を備えることを特徴とする請求項９に記載の内燃機関用回転電機。
【請求項１３】
内燃機関（１２）の回転軸に連結されるロータコア（２２）の内面に、界磁を提供する永久磁石（２３）が配置されるロータ（２１）と、
前記内燃機関（１２）のボディ（１３）に固定されることによって前記ロータの内側に配置され、前記永久磁石と対向する複数の磁極（３２ａ）を径方向外側に形成するステータコア（３２）と、
前記ステータコアに装着されるステータコイルであって、複数の前記磁極に装着された複数のコイル（Ｃ１−Ｃ１８）、および前記ステータコアの軸方向端面に沿って周方向に延在するように配置され、複数の前記コイルの間を少なくとも部分的に接続する複数のバスバー（７１、５７１）を有するステータコイル（３３、４３３）と、
複数の前記バスバーを収容する収容容器（８２、９５）を備え、
前記収容容器は、電気的な接続を提供するためのコネクタ部（８３）を有し、
複数の前記バスバーの少なくともひとつは、前記コネクタ部の中に配置されたコネクタ端子部（５７７）を備えることを特徴とする内燃機関用回転電機。
【請求項１４】
前記バスバーは、延在方向と垂直な断面が長手方向と短手方向とをもつ細長い四辺形であり、
前記コネクタ端子部ではその断面長手方向が前記ステータコアの軸方向と交差する横姿勢で配置され、
前記ステータコアの周方向に沿って延びる部分ではその断面長手方向が前記ステータコアの軸方向に沿って延びる縦姿勢で配置されていることを特徴とする請求項１２または請求項１３に記載の内燃機関用回転電機。
【請求項１５】
前記収容容器は、前記磁極が配置された環状範囲に沿って配置されており、前記磁極の周囲に配置されたコイルから延び出すコイルリード（３３ａ）を前記バスバーに接続するために前記収容容器の中に引き込む複数の引込部（８４）を、前記ステータコアの径方向内側および径方向外側の両側に有することを特徴とする請求項９、請求項１２から請求項１４のいずれかに記載の内燃機関用回転電機。
【請求項１６】
内燃機関（１２）の回転軸に連結されるロータコア（２２）の内面に、界磁を提供する永久磁石（２３）が配置されるロータ（２１）と、
前記内燃機関（１２）のボディ（１３）に固定されることによって前記ロータの内側に配置され、前記永久磁石と対向する複数の磁極（３２ａ）を径方向外側に形成するステータコア（３２）と、
前記ステータコアに装着されるステータコイルであって、複数の前記磁極に装着された複数のコイル（Ｃ１−Ｃ１８）、および前記ステータコアの軸方向端面に沿って周方向に延在するように配置され、複数の前記コイルの間を少なくとも部分的に接続する複数のバスバー（７１、５７１）を有するステータコイル（３３、４３３）と、
複数の前記バスバーを収容する収容容器（８２、９５）を備え、
前記収容容器は、前記磁極が配置された環状範囲に沿って配置されており、前記磁極の周囲に配置されたコイルから延び出すコイルリード（３３ａ）を前記バスバーに接続するために前記収容容器の中に引き込む複数の引込部（８４）を、前記ステータコアの径方向内側および径方向外側の両側に有することを特徴とする内燃機関用回転電機。
【請求項１７】
さらに、前記磁極の間に配置され、前記永久磁石の磁束を検出することにより前記ロータの回転位置を検出する回転位置センサ（４３）を備えることを特徴とする請求項９、請求項１２から請求項１６のいずれかに記載の内燃機関用回転電機。
【請求項１８】
さらに、前記磁極の間に配置され、前記永久磁石の磁束を検出することにより前記ロータの回転位置を検出する回転位置センサ（４３）を備え、
前記回転位置センサは、前記磁極の先端領域に対応し、複数の前記磁極にわたるセンサ設置範囲（４１ａ）を少なくとも占めるように配置されており、
複数の前記バスバーは、前記センサ設置範囲を除く範囲に配置されていることを特徴とする請求項９、請求項１２から請求項１６のいずれかに記載の内燃機関用回転電機。
【請求項１９】
前記バスバーは、前記収容容器（８１）の中に流し込まれた樹脂（Ａ２）によって前記収容容器の中に固定されていることを特徴とする請求項９、請求項１２から請求項１６のいずれかに記載の内燃機関用回転電機。
【請求項２０】
内燃機関（１２）の回転軸に連結されるロータコア（２２）の内面に、界磁を提供する永久磁石（２３）が配置されるロータ（２１）と、
前記内燃機関（１２）のボディ（１３）に固定されることによって前記ロータの内側に配置され、前記永久磁石と対向する複数の磁極（３２ａ）を径方向外側に形成するステータコア（３２）と、
前記ステータコアに装着されるステータコイルであって、複数の前記磁極に装着された複数のコイル（Ｃ１−Ｃ１８）、および前記ステータコアの軸方向端面に沿って周方向に延在するように配置され、複数の前記コイルの間を少なくとも部分的に接続する複数のバスバー（７１、５７１）を有するステータコイル（３３、４３３）と、
前記磁極の間に配置され、前記永久磁石の磁束を検出することにより前記ロータの回転位置を検出する回転位置センサ（４３）とを備え、
前記回転位置センサは、前記磁極の先端領域に対応し、複数の前記磁極にわたるセンサ設置範囲（４１ａ）を少なくとも占めるように配置されており、
複数の前記バスバーは、前記センサ設置範囲を除く範囲に配置されていることを特徴とする内燃機関用回転電機。
【請求項２１】
複数の前記バスバーを収容する収容容器（８２、９５）を備えることを特徴とする請求項２０に記載の内燃機関用回転電機。
【請求項２２】
内燃機関（１２）の回転軸に連結されるロータコア（２２）の内面に、界磁を提供する永久磁石（２３）が配置されるロータ（２１）と、
前記内燃機関（１２）のボディ（１３）に固定されることによって前記ロータの内側に配置され、前記永久磁石と対向する複数の磁極（３２ａ）を径方向外側に形成するステータコア（３２）と、
前記ステータコアに装着されるステータコイルであって、複数の前記磁極に装着された複数のコイル（Ｃ１−Ｃ１８）、および前記ステータコアの軸方向端面に沿って周方向に延在するように配置され、複数の前記コイルの間を少なくとも部分的に接続する複数のバスバー（７１、５７１）を有するステータコイル（３３、４３３）と、
複数の前記バスバーを収容する収容容器（８２、９５）を備え、
前記バスバーは、前記収容容器（８１）の中に流し込まれた樹脂（Ａ２）によって前記収容容器の中に固定されていることを特徴とする内燃機関用回転電機。
【請求項２３】
複数の前記コイルの間の少なくとも一部は、前記コイルを形成するコイル線材（３３ｊ）が前記ステータコアの軸方向端面に沿って周方向に延在するように配置されることによって接続されていることを特徴とする請求項９から請求項２２のいずれかに記載の内燃機関用回転電機。
【請求項２４】
複数の前記バスバーは、前記ステータコアの軸方向端面において径方向に並ぶように配置されていることを特徴とする請求項８から請求項２３のいずれかに記載の内燃機関用回転電機。
【請求項２５】
複数の前記バスバーは、前記ステータコアの周方向に沿って延びる周方向延在部（７２、５７２）と、前記ステータコアの径方向外側へ向けて延びる径方向延在部（７４、５７４）とを有することを特徴とする請求項８から請求項２４のいずれかに記載の内燃機関用回転電機。
【請求項２６】
前記周方向延在部と前記径方向延在部とは、連続した金属材料によって一体的に形成されていることを特徴とする請求項２５に記載の内燃機関用回転電機。
【手続補正２】
【補正対象書類名】明細書
【補正対象項目名】００１４
【補正方法】変更
【補正の内容】
【００１４】
開示される発明のひとつにより、内燃機関用回転電機が提供される。発明は、内燃機関（１２）の回転軸に連結されるロータコア（２２）の内面に、界磁を提供する永久磁石（２３）が配置されるロータ（２１）と、内燃機関（１２）のボディ（１３）に固定されることによってロータの内側に配置され、永久磁石と対向する複数の磁極（３２ａ）を径方向外側に形成するステータコア（３２）と、ステータコアに装着されるステータコイルであって、第１の多相巻線（３３ｐ）、第１の多相巻線と同相の第２の多相巻線（３３ｓ）、およびそれぞれの多相巻線を外部の電気回路に接続するための複数の引出線（４６、７１、５７１）を有し、第１の多相巻線は、互いに並列接続された複数のコイルを有するステータコイル（３３、４３３）とを備えることを特徴とする。
【手続補正３】
【補正対象書類名】明細書
【補正対象項目名】００１６
【補正方法】変更
【補正の内容】
【００１６】
開示される発明のひとつにより、内燃機関（１２）の回転軸に連結されるロータコア（２２）の内面に、界磁を提供する永久磁石（２３）が配置されるロータ（２１）と、内燃機関（１２）のボディ（１３）に固定されることによってロータの内側に配置され、永久磁石と対向する複数の磁極（３２ａ）を径方向外側に形成するステータコア（３２）と、ステータコアに装着されるステータコイルであって、複数の磁極に装着された複数のコイル（Ｃ１−Ｃ１８）、およびステータコアの軸方向端面に沿って周方向に延在するように配置され、複数のコイルの間を少なくとも部分的に接続する複数のバスバー（７１、５７１）を有するステータコイル（３３、４３３）と、複数のバスバーを収容する収容容器（８２、９５）を備え、収容容器は、複数の磁極の間に挿し込まれる噛合部（８５）、ステータコアに固定される固定部（８６、Ａ３）、およびボディに固定される固定部（９４）の少なくともひとつを備えることを特徴とする。
開示される発明のひとつにより、内燃機関用回転電機が提供される。発明は、内燃機関（１２）の回転軸に連結されるロータコア（２２）の内面に、界磁を提供する永久磁石（２３）が配置されるロータ（２１）と、内燃機関（１２）のボディ（１３）に固定されることによってロータの内側に配置され、永久磁石と対向する複数の磁極（３２ａ）を径方向外側に形成するステータコア（３２）と、ステータコアに装着されるステータコイルであって、複数の磁極に装着された複数のコイル（Ｃ１−Ｃ１８）、およびステータコアの軸方向端面に沿って周方向に延在するように配置され、複数のコイルの間を少なくとも部分的に接続する複数のバスバー（７１、５７１）を有するステータコイル（３３、４３３）と、複数のバスバーを収容する収容容器（８２、９５）を備え、収容容器は、電気的な接続を提供するためのコネクタ部（８３）を有し、複数のバスバーの少なくともひとつは、コネクタ部の中に配置されたコネクタ端子部（５７７）を備えることを特徴とする。
開示される発明のひとつにより、内燃機関用回転電機が提供される。発明は、内燃機関（１２）の回転軸に連結されるロータコア（２２）の内面に、界磁を提供する永久磁石（２３）が配置されるロータ（２１）と、内燃機関（１２）のボディ（１３）に固定されることによってロータの内側に配置され、永久磁石と対向する複数の磁極（３２ａ）を径方向外側に形成するステータコア（３２）と、ステータコアに装着されるステータコイルであって、複数の磁極に装着された複数のコイル（Ｃ１−Ｃ１８）、およびステータコアの軸方向端面に沿って周方向に延在するように配置され、複数のコイルの間を少なくとも部分的に接続する複数のバスバー（７１、５７１）を有するステータコイル（３３、４３３）と、複数のバスバーを収容する収容容器（８２、９５）を備え、収容容器は、磁極が配置された環状範囲に沿って配置されており、磁極の周囲に配置されたコイルから延び出すコイルリード（３３ａ）をバスバーに接続するために収容容器の中に引き込む複数の引込部（８４）を、ステータコアの径方向内側および径方向外側の両側に有することを特徴とする。
開示される発明のひとつにより、内燃機関用回転電機が提供される。発明は、内燃機関（１２）の回転軸に連結されるロータコア（２２）の内面に、界磁を提供する永久磁石（２３）が配置されるロータ（２１）と、内燃機関（１２）のボディ（１３）に固定されることによってロータの内側に配置され、永久磁石と対向する複数の磁極（３２ａ）を径方向外側に形成するステータコア（３２）と、ステータコアに装着されるステータコイルであって、複数の磁極に装着された複数のコイル（Ｃ１−Ｃ１８）、およびステータコアの軸方向端面に沿って周方向に延在するように配置され、複数のコイルの間を少なくとも部分的に接続する複数のバスバー（７１、５７１）を有するステータコイル（３３、４３３）と、磁極の間に配置され、永久磁石の磁束を検出することによりロータの回転位置を検出する回転位置センサ（４３）とを備え、回転位置センサは、磁極の先端領域に対応し、複数の磁極にわたるセンサ設置範囲（４１ａ）を少なくとも占めるように配置されており、複数のバスバーは、センサ設置範囲を除く範囲に配置されていることを特徴とする。
開示される発明のひとつにより、内燃機関用回転電機が提供される。発明は、内燃機関（１２）の回転軸に連結されるロータコア（２２）の内面に、界磁を提供する永久磁石（２３）が配置されるロータ（２１）と、内燃機関（１２）のボディ（１３）に固定されることによってロータの内側に配置され、永久磁石と対向する複数の磁極（３２ａ）を径方向外側に形成するステータコア（３２）と、ステータコアに装着されるステータコイルであって、複数の磁極に装着された複数のコイル（Ｃ１−Ｃ１８）、およびステータコアの軸方向端面に沿って周方向に延在するように配置され、複数のコイルの間を少なくとも部分的に接続する複数のバスバー（７１、５７１）を有するステータコイル（３３、４３３）と、複数のバスバーを収容する収容容器（８２、９５）を備え、バスバーは、収容容器（８１）の中に流し込まれた樹脂（Ａ２）によって収容容器の中に固定されていることを特徴とする。
【手続補正４】
【補正対象書類名】明細書
【補正対象項目名】０１７７
【補正方法】変更
【補正の内容】
【０１７７】
この実施形態によると、封止樹脂Ａ２によってバスバーユニット８１が保護される。例えば、水の浸入、および異物の浸入が抑制される。この結果、バスバーユニット８１内の部品、例えばバスバー５７１の腐蝕が抑制される。さらに、コネクタ部８３への水浸入、および異物の浸入が抑制される。
この開示は、複数の技術的思想を含む。
（技術的思想１）  内燃機関（１２）の回転軸に連結されるロータコア（２２）の内面に、界磁を提供する永久磁石（２３）が配置されるロータ（２１）と、内燃機関（１２）のボディ（１３）に固定されることによってロータの内側に配置され、永久磁石と対向する複数の磁極（３２ａ）を径方向外側に形成するステータコア（３２）と、ステータコアに装着されるステータコイルであって、第１の多相巻線（３３ｐ）、第１の多相巻線と同相の第２の多相巻線（３３ｓ）、およびそれぞれの多相巻線を外部の電気回路に接続するための複数の引出線（４６、７１、５７１）を有するステータコイル（３３、４３３）とを備えることを特徴とする内燃機関用回転電機。
（技術的思想２）  引出線を介してステータコイルに接続され、発電機運転または電動機運転に切換可能な電気回路であって、第１の多相巻線のみを利用するモード、第２の多相巻線のみを利用するモード、または第１の多相巻線および第２の多相巻線の両方を利用するモードのうちの少なくとも２つのモードを電動機運転において切換可能な電気回路（１１）を備えることを特徴とする技術的思想１に記載の内燃機関用回転電機。
（技術的思想３）  電気回路が切換可能な２つのモードは、第１の回転速度域に適した第１のモードと、第１の回転速度域より高い第２の回転速度域に適した第２のモードとを含むことを特徴とする技術的思想２に記載の内燃機関用回転電機。
（技術的思想４）  第１のモードにおいて利用される多相巻線のターン数は、第２のモードにおいて利用される多相巻線のターン数より多いことを特徴とする技術的思想３に記載の内燃機関用回転電機。
（技術的思想５）  第１のモードは、第１の多相巻線および第２の多相巻線の両方を利用するモードであり、
第２のモードは、第１の多相巻線のみを利用するモード、または第２の多相巻線のみを利用するモードであることを特徴とする技術的思想４に記載の内燃機関用回転電機。
（技術的思想６）  第１の多相巻線（３３ｐ）は第１のターン数を有し、
第２の多相巻線（３３ｓ）は、第１のターン数より多い第２のターン数を有し、
第２のモードは、第１の多相巻線のみを利用するモードであることを特徴とする技術的思想３から技術的思想５のいずれかに記載の内燃機関用回転電機。
（技術的思想７）  第１の多相巻線（３３ｐ）および第２の多相巻線（３３ｓ）の一方は、中性点（３３ｎ）において星形結線されており、
電気回路は、第１の多相巻線（３３ｐ）および第２の多相巻線（３３ｓ）の他方を星形結線する中性点回路（ＰＮ）を有することを特徴とする技術的思想１から技術的思想６のいずれかに記載の内燃機関用回転電機。
（技術的思想８）  複数の引出線の少なくとも一部は、ステータコアの軸方向の端面に沿って周方向に延在するように配置されたバスバー（７１、５７１）を含むことを特徴とする技術的思想１から技術的思想７のいずれかに記載の内燃機関用回転電機。
（技術的思想９）  内燃機関（１２）の回転軸に連結されるロータコア（２２）の内面に、界磁を提供する永久磁石（２３）が配置されるロータ（２１）と、
内燃機関（１２）のボディ（１３）に固定されることによってロータの内側に配置され、永久磁石と対向する複数の磁極（３２ａ）を径方向外側に形成するステータコア（３２）と、
ステータコアに装着されるステータコイルであって、複数の磁極に装着された複数のコイル（Ｃ１−Ｃ１８）、およびステータコアの軸方向端面に沿って周方向に延在するように配置され、複数のコイルの間を少なくとも部分的に接続する複数のバスバー（７１、５７１）を有するステータコイル（３３、４３３）とを備えることを特徴とする内燃機関用回転電機。
（技術的思想１０）  複数のコイルの間の少なくとも一部は、コイルを形成するコイル線材（３３ｊ）がステータコアの軸方向端面に沿って周方向に延在するように配置されることによって接続されていることを特徴とする技術的思想９に記載の内燃機関用回転電機。
（技術的思想１１）  複数のバスバーは、ステータコアの軸方向端面において径方向に並ぶように配置されていることを特徴とする技術的思想８から技術的思想１０のいずれかに記載の内燃機関用回転電機。
（技術的思想１２）  複数のバスバーは、ステータコアの周方向に沿って延びる周方向延在部（７２、５７２）と、ステータコアの径方向外側へ向けて延びる径方向延在部（７４、５７４）とを有することを特徴とする技術的思想８から技術的思想１１のいずれかに記載の内燃機関用回転電機。
（技術的思想１３）  周方向延在部と径方向延在部とは、連続した金属材料によって一体的に形成されていることを特徴とする技術的思想１２に記載の内燃機関用回転電機。
（技術的思想１４）  複数のバスバーを収容する収容容器（８２、９５）を備えることを特徴とする技術的思想８から技術的思想１３のいずれかに記載の内燃機関用回転電機。
（技術的思想１５）  収容容器は、複数の磁極の間に挿し込まれる噛合部（８５）、ステータコアに固定される固定部（８６、Ａ３）、およびボディに固定される固定部（９４）の少なくともひとつを備えることを特徴とする技術的思想１４に記載の内燃機関用回転電機。
（技術的思想１６）  収容容器は、電気的な接続を提供するためのコネクタ部（８３）を有し、
複数のバスバーの少なくともひとつは、コネクタ部の中に配置されたコネクタ端子部（５７７）を備えることを特徴とする技術的思想１４または技術的思想１５に記載の内燃機関用回転電機。
（技術的思想１７）  バスバーは、延在方向と垂直な断面が長手方向と短手方向とをもつ細長い四辺形であり、
コネクタ端子部ではその断面長手方向がステータコアの軸方向と交差する横姿勢で配置され、
ステータコアの周方向に沿って延びる部分ではその断面長手方向がステータコアの軸方向に沿って延びる縦姿勢で配置されていることを特徴とする技術的思想１６に記載の内燃機関用回転電機。
（技術的思想１８）  収容容器は、磁極が配置された環状範囲に沿って配置されており、磁極の周囲に配置されたコイルから延び出すコイルリード（３３ａ）をバスバーに接続するために収容容器の中に引き込む複数の引込部（８４）を、ステータコアの径方向内側および径方向外側の両側に有することを特徴とする技術的思想１４から技術的思想１７のいずれかに記載の内燃機関用回転電機。
（技術的思想１９）  さらに、磁極の間に配置され、永久磁石の磁束を検出することによりロータの回転位置を検出する回転位置センサ（４３）を備えることを特徴とする技術的思想１から技術的思想１８のいずれかに記載の内燃機関用回転電機。
（技術的思想２０）  さらに、磁極の間に配置され、永久磁石の磁束を検出することによりロータの回転位置を検出する回転位置センサ（４３）を備え、
回転位置センサは、磁極の先端領域に対応し、複数の磁極にわたるセンサ設置範囲（４１ａ）を少なくとも占めるように配置されており、
複数のバスバーは、センサ設置範囲を除く範囲に配置されていることを特徴とする技術的思想８から技術的思想１８のいずれかに記載の内燃機関用回転電機。
（技術的思想２１）  バスバーは、収容容器（８１）の中に流し込まれた樹脂（Ａ２）によって収容容器の中に固定されていることを特徴とする技術的思想１４から技術的思想１８のいずれかに記載の内燃機関用回転電機。
（技術的思想２２）  収容容器は樹脂製であり、ステータコアに固定される固定部（Ａ３）は、樹脂の弾性を利用して係合状態が維持されるスナップフィット機構によってステータコアに固定されていることを特徴とする技術的思想１５に記載の内燃機関用回転電機。
（技術的思想２３）  噛合部は、ステータコアの径方向に関して、磁極の径方向内側に位置づけられる内側部（８５ａ）と、磁極の径方向外側に位置づけられる外側部（８５ｂ）とを有することを特徴とする技術的思想１５に記載の内燃機関用回転電機。